(57)【要約】      （修正有）【課題】使用感を向上させることができるだけでなく、陰茎を下腹部や陰嚢から離間させて保持することができ、下着を操作するだけで陰茎を露出させて排尿姿勢をとらせることができる男性用下着を提供する。【解決手段】男性用下着１であって、陰茎７を前後から挟むように設けられる内側当て布部１１と、外側当て布部１２とを備えて構成される陰茎収容部８と、上記陰茎収容部の下方に設けられ、内側から上記陰茎収容部へ陰茎を導入する陰茎導入部１３と、上記陰茎収容部の上方に設けられた排尿用開口部１４とを備え、少なくとも上記外側当て布部を伸縮自在な弾性布材料から形成し、この外側当て布部の内面に、上記陰茎を係止して位置決め保持できる位置決め保持手段１６を設けるとともに、上記外側当て布部を捲ることにより、上記陰茎の少なくとも先端部を排尿可能に露出させるように構成した。【選択図】図２
2011052356.tif 000002
【特許請求の範囲】
【請求項１】
左右脚部が通挿される一対の脚部開口部と、胴部が通挿される胴部開口部とを備える男性用下着であって、
陰茎を前後から挟むように設けられる内側当て布部と、外側当て布部とを備えて構成される陰茎収容部と、
上記陰茎収容部の下方に設けられるとともに、内側から上記陰茎収容部へ陰茎を導入する陰茎導入部と、
上記陰茎収容部の上方に設けられた排尿用開口部とを備え、
少なくとも上記外側当て布部を伸縮自在な弾性布材料から形成し、
この外側当て布部の内面に、上記陰茎を係止して位置決め保持できる位置決め保持手段を設けるとともに、
上記外側当て布部を捲ることにより、上記陰茎の少なくとも先端部を排尿可能に露出させるように構成した、男性用下着。
【請求項２】
上記外側当て布部及び／又は上記位置決め保持手段を操作することにより、露出された陰茎の排尿方向を調節できるように構成されている、請求項１に記載の男性用下着。
【請求項３】
上記位置決め保持手段は、陰茎先端部を通挿して保持できる環状構造を備える、請求項１又は請求項２のいずれかに記載の男性用下着。
【請求項４】
上記位置決め保持手段は、上記外側当て布部に両端部が止着された帯状部材である、請求項１から請求項３のいずれか１項に記載の男性用下着。
【請求項５】
上記位置決め保持手段は、上記陰茎を通挿できる環状部材と、この環状部材を上記外側当て布部へ止着する紐状部材とを備えて構成されている、請求項１から請求項３のいずれか１項に記載の男性用下着。
【発明の詳細な説明】
【技術分野】
【０００１】
本願発明は、男性用下着に関する。詳しくは、陰茎を所定位置に位置決めできるとともに、通気性が良く、しかも、陰茎に触れることなく排尿姿勢をとらせることができる男性用下着に関する。
【背景技術】
【０００２】
陰茎を所定位置に収容保持できるように種々の男性用下着が提供されている。従来の男性用下着は、脚部を通挿する左右一対の脚部開口部と、胴部を通挿する胴部開口部とを備え、前見頃に陰茎を露出させる窓部が設けられている。
【０００３】
上記窓部は、着用者の下腹部に当接する内側当て布部と外側当て布部とを備える二重構造に形成されており、外側当て布部の右側に上下方向に延びるとともに、右方向に開口する上記窓部が設けられている。
【０００４】
排尿は、陰茎を上記内側当て布部と外側当て布部の間に通挿するとともに、上記外側当て布部の縁部を捲って上記窓部から露出させることにより行われる。
【０００５】
上記従来の男性用下着では、まず、外側当て布部を捲り、次に内側当て布部を捲って陰茎を手指を用いて窓部から引き出す必要があった。すなわち、２回の捲り動作が必要であり、しかも、便器に向けて位置決めしてから排尿する必要がある。このため、片手で操作するのは困難である。また、上記窓部は、右方向に開口されているため、左手では扱いにくい。
【０００６】
また、前見頃に上下方向に延びる窓部が形成されているため、伸縮性の素材から下着を構成した場合、上記窓部が左右に引っ張られて窓部が開口したり、下着前部が変形して見栄えが低下するという問題があった。
【先行技術文献】
【特許文献】
【０００７】
【特許文献１】特許第３３８２１６６号公報
【０００８】
上記特許文献１には、窓部を、内側当て布部の上縁部と、外側当て布部の下縁部とから構成することにより、左右方向に延びるとともに上方向に開口するように構成した男性用下着が開示されている。上記構成によって、いずれの側の手指を用いても陰茎を引き出すことができるため、右利き、左利きの別を問わず操作性が向上する。
【０００９】
また、内側当て布部と外側当て布部の左右両側部に、Ｖ字状のそけい部弾性部材が配置されている。上記そけい部弾性部材に沿ってテンションをかけることにより、陰茎への締め付けがなくなり、着用感が向上するとしている。また、窓部が左右方向に延びるように形成されているため、伸縮性のある材料を用いて下着を形成した場合にも、上記窓部が開口することはない。
【発明の概要】
【発明が解決しようとする課題】
【００１０】
上記特許文献に記載されている下着では、従来の下着と同様に、陰茎は、上記内側当て布部の内側に収容保持される。したがって、陰茎が下腹部や陰嚢に接触した状態で保持されることになる。このため、陰茎と、下腹部や陰嚢との皮膚接触部分に汗が溜まりやすく、使用感が良いとは言えなかった。また、上記そけい部弾性部材が設けられるため脚部開口部との間の通気性が低くなる。このため、陰茎を収容した空間の通気性が低くなり、蒸れるといった問題もあった。
【００１１】
また、左右方向に延びる窓部から陰茎を露出させることができるように構成されているため、右利き、左利きを問わずに操作することができる。しかしながら、陰茎を露出させるためには、外側当て布部と内側当て布部から形成される開口部に手指を挿入して、陰茎を引き出す必要がある。このため、操作性が良いとはいえない。また、片手で、陰茎を窓部から引き出すことができたとしても、外側当て布部を捲りながら陰茎を位置決めして排尿姿勢をとらせるのは困難である。
【００１２】
さらに、上記そけい部弾性部材を設けることにより、陰茎等の収まりを良くできるとともに、陰茎に上記弾性部材の弾性が直接作用しないように構成することができる。ところが、上記そけい部弾性部材の弾力は、使用者の脚部のつけ根に作用するため、体格によっては脚部の付け根が締め付けられて、かえって使用感が低下する場合もある。
【００１３】
本願発明は、上記従来の問題を解決し、使用感を向上させることができるだけでなく、陰茎を、下腹部や陰嚢から離間させて保持することができ、しかも、下着を操作するだけで陰茎を露出させて、排尿姿勢をとらせることができる、男性用下着を提供することを課題としている。
【課題を解決するための手段】
【００１４】
本願の請求項１に記載した発明は、左右脚部が通挿される一対の脚部開口部と、胴部が通挿される胴部開口部とを備える男性用下着であって、陰茎を前後から挟むように設けられる内側当て布部と、外側当て布部とを備えて構成される陰茎収容部と、上記陰茎収容部の下方に設けられるとともに、内側から上記陰茎収容部へ陰茎を導入する陰茎導入部と、上記陰茎収容部の上方に設けられた排尿用開口部とを備え、少なくとも上記外側当て布部を伸縮自在な弾性布材料から形成し、この外側当て布部の内面に、上記陰茎を係止して位置決め保持できる位置決め保持手段を設けるとともに、上記外側当て布部を捲ることにより、上記陰茎の少なくとも先端部を排尿可能に露出させるように構成したものである。
【００１５】
本願発明に係る男性用下着においては、陰茎を前後から挟むように配置される内側当て布部及び外側当て布部を備える陰茎収容部が設けられる。陰茎は、上記陰茎収容部の下端部に設けられた陰茎導入部から上方に向けて、内外当て布部と外側当て布部の間に挟まれるようにして収容保持される。
【００１６】
上記内側当て布部は、使用者の下腹部と陰茎との間に介挿されるため、陰茎と下腹部とが直接接触することはない。また、陰茎を上方を向けて保持できるため、陰嚢と接触することもない。したがって、陰茎と、下腹部や陰嚢との接触部位に汗が溜まることはなく、使用感が良くなる。
【００１７】
上記陰茎収容部の上方には、陰茎を露出させて排尿姿勢をとらせる排尿用開口部が設けられている。また、少なくとも、上記外側当て布部は、伸縮自在な弾性布材料から形成されている。陰茎は、上記内側当て布部と上記外側当て布部の間に保持されているため、上記外側当て布部を外側へ捲るだけで、陰茎を露出させることができる。したがって、片手で陰茎を露出させることができる。
【００１８】
就寝姿勢等の静止状態では、陰茎を陰茎収容部内に収納保持することができるが、歩行等の運動をする場合、陰茎が下方に変位して、上記陰茎収容部から抜け出る恐れがある。また、陰茎の収容姿勢が一定でないと、上記外側当て布部を捲るだけでは、陰茎を露出させて排尿姿勢をとらせるのは困難である。
【００１９】
上記不都合を回避するため、本願発明では、この外側当て布部の内面に、陰茎を係止して位置決め保持できる位置決め保持手段を設けている。
【００２０】
上記位置決め保持手段は、上記外側当て布部の内面に設けられる。これにより、陰茎を上記外側当て布部と内側当て布部の間の所定位置に保持できる。したがって、外側当て布部を捲ることにより、陰茎を上記排尿用開口部から確実に露出させることができる。上記位置決め保持手段は、上記内側当て布部から独立して設けることもできるし、上記外側当て布部と一体的に設けることもできる。
【００２１】
上記位置決め保持手段として種々の形態のものを採用できる。たとえば、請求項３に記載した発明のように、上記位置決め保持手段を、陰茎先端部を通挿して保持できる環状構造を備えて構成することができる。
【００２２】
上記環状構造を備える位置決め保持手段を設けることにより、陰茎を、上記陰茎収容部において、上方を向けて位置決め保持することができる。これにより、激しいスポーツ等を行う場合であっても、陰茎を上記内側当て布部と上記外側当て布部の間において、上方に向けて確実に保持できる。また、上記外側当て布部を捲ることにより、陰茎を確実に露出させることができる。
【００２３】
上記環状構造を備える位置決め保持手段は、陰茎亀頭部の基端側の括れ部に係止できるように構成するのが望ましい。これにより、上記位置決め保持手段を陰茎に対して確実に装着することができる。また、上記外側当て布部を捲るだけで、亀頭部を確実に露出させることができる。
【００２４】
本願発明では、さらに、請求項２に記載した発明のように、上記外側当て布部及び／又は上記位置決め保持手段を操作することにより、露出された陰茎の排尿方向を調節できるように構成することができる。
【００２５】
すなわち、排尿方向を調節するために、上記位置決め保持手段を上記外側当て布部と一体的に構成することができる。たとえば、上記位置決め保持手段を、陰茎を上記外側当て布部の内面に係止できるように構成することができる。この構成を採用することにより、上記外側当て布部を捲って陰茎を露出させ、さらに、外側当て布部を左右前後に操作することにより、陰茎の方向を調節して排尿することが可能となる。この構成を採用することにより、片手で陰茎を露出させることが可能となるばかりでなく、片手で陰茎の排尿方向を調節して位置決めできるのである。
【００２６】
また、上記位置決め保持手段を、外側当て布部の上縁部あるいは側縁部に連結した紐状部材を介して陰茎を所定位置に保持するように構成することができる。この構成を採用すると、上記紐状部材を操作することにより、外側当て布部を捲って露出させた陰茎の方向を調節することができる。上記紐状部材は、弾性を有する材料から構成するのが望ましい。また、排尿用開口部の縁部にゴム紐等を設けた弾性縁部を設け、この弾性縁部に、弾性のある上記紐状部材を連結するのが好ましい。この構成によって、水平方向に延びる弾性縁部と、この弾性縁部から下方に延出する弾性紐状部材によって、陰茎を上方に向けて保持することができる。２つの弾性部材を介して陰茎を位置決め保持できるため、陰茎に作用する弾力の大きさを容易に調節することが可能になる。このため、陰茎に不快な力が作用するのを防止できるばかりでなく、上記紐状部材及び又は上記外側当て布部を操作することにより、陰茎の排尿方向を調節できる。
【００２７】
また、上記構成を採用することにより、陰茎に触れることなく陰茎を露出させ、排尿方向を調節することが可能となる。このため、衛生的であるばかりでなく、便器を汚すのを防止することが可能となる。
【００２８】
上記位置決め保持手段として、請求項４に記載した発明のように、上記外側当て布部に両端部が止着された帯状部材から構成することができる。
【００２９】
上記帯状部材は、両端部が上記外側当て布部に止着されることにより、上記外側当て布部と共働して、陰茎を囲むように上記環状構造を構成する。なお、陰茎の太さや長さが異なるため、上記帯状部材は、ある程度の弾性伸縮する材料から構成するのが望ましい。この構成を採用することにより、陰茎を所定の位置に確実に保持することが可能となる。また、上記帯状部材は、外側当て布部へ容易に縫着することができるため、製造作業も容易となる。
【００３０】
また、請求項５に記載した発明のように、上記位置決め保持手段を、上記陰茎を通挿する環状部材と、この環状部材を上記外側当て布部へ止着する紐状部材とを備えて構成することができる。
【００３１】
陰茎の先端部には、括れ部を介して亀頭部があるため、上記括れ部を利用して、上記環状部材を陰茎に容易に装着することができる。上記環状部材は、紐状部材を介して外側当て布部又はその周縁部に止着するのが好ましい。上記紐状部材を採用することにより、陰茎の動きが許容される範囲が広くなる。このため、締め付け感なく陰茎を位置決め保持できる。また、上記括れ部に環状部材を装着することにより、仮性包茎を矯正する効果も気体できる。
【００３２】
また、上記紐状部材を外側当て布部の上縁部に止着すると、上記リングを介して陰茎を上方から吊るすようにして位置決め保持できる。このため、外観見栄えよく陰茎を収容することが可能となる。
【００３３】
しかも、上記紐状部材は、上記外側当て布部の上縁部に止着されているため、上記外側当て布部を捲ると、上述したと同様に陰茎が上記排尿用開口から露出させられる。また、上記外側当て布部あるいは紐状部材を操作することにより、陰茎に直接触れることなく、排尿方向を調節することができる。
【発明の効果】
【００３４】
使用感を向上させることができるだけでなく、陰茎を所定位置に位置決め保持することができるとともに、陰茎に触れることなく排尿姿勢をとらせることができる。
【図面の簡単な説明】
【００３５】
【図１】本願発明に係る男性用下着の第１の実施形態に係る正面図である。
【図２】図１における、ＩＩ−ＩＩ線に沿う断面図である。
【図３】図１における、III −III 線に沿う断面図である。
【図４】陰茎を露出させる手法を説明する断面図である。
【図５】陰茎に排尿姿勢をとらせる状態を示す断面図である。
【図６】本願発明に係る男性用下着の第２の実施形態に係る正面図である。
【図７】図６におけるVII −VII 線に沿う断面図である。
【図８】位置決め保持手段の他の例を示す平面図である。
【発明を実施するための形態】
【００３６】
以下、本願発明の実施形態を図に基づいて具体的に説明する。
【００３７】
図１から図５に、本願発明に係る男性用下着の第１の実施形態を示す。この実施形態は、本願発明をブリーフタイプの男性用下着に適用したものである。なお、トランクスタイプの下着に本願発明を適用することもできる。
【００３８】
図１に示すように、男性用下着１は、使用者の左右脚部が通挿される一対の脚部開口部２，３と、使用者の胴部が通挿される胴部開口部４とを備えて構成されている。上記胴部開口部４の縁部には、ゴムが折り込まれた弾性部材が設けられている。
【００３９】
本実施形態では、正面中央部に、陰茎７を収容する陰茎収容部８が設けられている。上記陰茎収容部８は、正面視逆台形状に形成されている。図２に示すように、上記陰茎収容部８は、使用者９の下腹部１０と陰茎７との間に配置される内側当て布部１１と、上記内側当て布部１１の外側に配置される外側当て布部１２とを備えて構成される。上記内側当て布部１１と上記外側当て布部１２の側部が縫合されることにより、上記逆台形状の陰茎収容部８が構成される。上記陰茎収容部８の下縁部は下着の内側に開口されており、使用者の陰茎を上記陰茎収容部８に導入する陰茎導入部１３が設けられている。
【００４０】
上記内側当て布部１１と外側当て布部１２は、弾性伸縮しうる布材料から形成されている。少なくとも上記外側当て布部１２は、１００％以上の伸縮性のある布材料から形成するのが望ましい。
【００４１】
一方、上記陰茎収容部８の上縁部も外部に開口されており、上記陰茎７の少なくとも一部を露出させて、排尿させる排尿用開口部１４が設けられている。上記排尿用開口部１４の縁部には、ゴム紐が折り込まれた弾性縁部１５が設けられている。
【００４２】
上記陰茎収容部８には、収容された陰茎７を、上向きに保持する位置決め保持手段１６が設けられている。図２及び図３に示すように、上記位置決め保持手段１６は、弾性のある帯状部材１７から構成されている。上記帯状部材１７は、上記陰茎収容部８の中央部において、両側部が上記外側当て布部１２に縫着されている。上記帯状部材１７は、上記外側当て布部１２と共働して、上記陰茎７の中間部ないし先端部を囲むようにして通挿できる環状に形成されている。
【００４３】
本実施形態に係る上記帯状部材１７及び外側当て布部１２は、弾性伸縮性のある布材料から形成されるとともに、陰茎７の中間部あるいは先端部を囲むように装着される。これにより、上記陰茎７が上記陰茎収容部８において、先端が上向きになるように位置決め保持される。
【００４４】
図４及び図５に、上記陰茎７を露出させるとともに排尿姿勢をとらせる手順を示す。
【００４５】
図４に示すように、まず、上記外側当て布部１２の上部を下方に折り返すようにして捲る。上記外側当て布部１２は、弾性伸縮する布材料から形成されているため、容易に折り返すことができる。また、上記帯状部材１７は、陰茎亀頭部の基端側に装着されている。このため、上記外側当て布部１２を折り返すと、陰茎の先端部（亀頭部）１８が、上記排尿用開口部１４から露出させられる。
【００４６】
上記状態で、さらに、上記外側当て布部１２を下方に引くと、図５に示すように、亀頭部１８を正面方向あるいは斜め下方に向けることができる。また、上述したように、上記各操作は、上記外側当て布部１２を捲り、また変位させることにより行わる。したがって、陰茎７に触れることなく、陰茎７を露出させ、排尿姿勢をとらせて排尿することができる。
【００４７】
排尿が終了した後、上記外側当て布部から手指を放すと、上記外側当て布部１２及び上記弾性縁部１５の弾性によって、図２に示す姿勢に自動的に戻る。
【００４８】
上記構成の男性用下着においては、使用者の下腹部１０と陰茎７との間に、内側当て布部１１が介挿されているため、陰茎７が使用者の下腹部や陰嚢に触れることはない。しかも、上記排尿用開口部４が上方に開口しているため、通気性もよい。このため、上記陰茎７と、下腹部や陰嚢との間に汗が溜まる恐れもない。したがって、使用感の良い下着を構成できる。
【００４９】
しかも、図４及び図５に示すように、上記外側当て布部１２を捲ることにより、陰茎７に直接手指を触れることなく露出させ、しかも、上記外側当て布部１２を前後左右に操作するだけで、陰茎７を所要の方向に向けて排尿姿勢をとらせることができる。このため、非常に衛生的である。また、上記外側当て布部１２を操作することにより、排尿方向を容易に調整することができる。このため、トイレを汚す恐れも少ない。
【００５０】
図６及び図７に、本願発明の第２の実施形態を示す。この実施形態は、位置決め保持手段１１６を、環状部材１１７ａと左右一対の紐状部材１１７ｂとを備えて構成したものである。
【００５１】
本願発明は、上記亀頭部１８の括れ部１８ａを利用して、上記位置決め保持手段１１６を構成したものである。
【００５２】
上記環状部材１１７ａは、上記陰茎７の括れ部７ａに弾性的に係合される。一方、上記紐状部材１１７ｂは、下端部が上記環状部材１１７ａの側部に連結されているとともに、上端部が、上記外側当て布部１２の弾性縁部１５の内側開口縁部１２ａに連結されている。上記構成を採用することにより、陰茎７を上方から吊るすようにして位置決め保持できる。また、第１の実施形態の帯状部材に比べて陰茎７に対する接触面積が少ないため、通気性が高い。また、陰茎７の動きの自由度も高い。したがって、使用感がより向上する。
【００５３】
しかも、上記紐状部材１１７ｂの上端部が上記外側当て布部１２の開口縁部１２ａに止着されているため、陰茎７を上方に向けて確実に保持できる。また、上記外側当て布部１２を捲るだけで、陰茎７を露出させることができる。さらに、上記外側当て布部１２あるいは上記紐状部材１１７ｂを手指で操作することにより、排尿方向を容易に調節することができる。
【００５４】
なお、亀頭部１８ないし陰茎部７の太さは、使用者によって異なる。このため、上記環状部材１１７ａの径は、所定の範囲で調節可能に設定するのが好ましい。上記環状部材１１７ａを調節する手段として、図８に示すような係止部材１８０を採用することができる。本実施形態は、弾性材料から形成された紐状部材を、係止部材１８０に設けた係止孔１８１に通挿するものである。上記係止部材１８０に紐状部材を通挿するだけで、環状部材１１７ａと、紐状部材１１７ｂとを形成できる。また、上記係止部材１８０の係止位置を変更するだけで、環状部材１１７ａの大きさを調節することができる。
【００５５】
本願発明は、上述の実施形態に限定されることはない。実施形態は、本願発明をブリーフタイプの男性下着に適用したが、トランクスタイプ等他の形態の男性用下着に適用することができる。
【産業上の利用可能性】
【００５６】
使用感を向上させることができるだけでなく、陰茎を所定位置に位置決め保持することができ、しかも、下着を外側から操作するだけで陰茎を露出させて排尿姿勢をとらせることができる、男性用下着を提供できる。
【符号の説明】
【００５７】
１  男性用下着
２  脚部開口部
３  脚部開口部
４  胴部開口部
７  陰茎
８  陰茎収容部
１１  内側当て布部
１２  外側当て布部
１３  陰茎導入部
１４  排尿用開口部
１６  位置決め保持手段
【図１】
2011052356.tif 000003
【図２】
2011052356.tif 000004
【図３】
2011052356.tif 000005
【図４】
2011052356.tif 000006
【図５】
2011052356.tif 000007
【図６】
2011052356.tif 000008
【図７】
2011052356.tif 000009
【図８】
2011052356.tif 000010
【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
左右脚部が通挿される一対の脚部開口部と、胴部が通挿される胴部開口部とを備える男性用下着であって、
陰茎を前後から挟むように設けられる内側当て布部と、外側当て布部とを備えて構成される陰茎収容部と、
上記陰茎収容部の下方に設けられるとともに、内側から上記陰茎収容部へ陰茎を導入する陰茎導入部と、
上記陰茎収容部の上方に設けられた排尿用開口部と、
上記陰茎収容部内において上記陰茎を係止して位置決め保持できる位置決め保持手段とを備え、
少なくとも上記外側当て布部を伸縮自在な弾性布材料から形成するとともに、
上記位置決め保持手段を、
上記陰茎の括れ部に弾性的に係合される環状部材と、
下端部が上記環状部材の側部にそれぞれ連結されるとともに、斜め上方に延出して上端部が上記外側当て布部の上縁部又は側縁部にそれぞれ連結された左右一対の紐状部材とを設けて構成し、
上記陰茎収容部において上記陰茎を上方に向けて保持するとともに、上記外側当て布部を捲ることにより、上記陰茎の少なくとも先端部を排尿可能に露出させることができるように構成した、男性用下着。
【請求項２】
上記外側当て布部の開口縁部及び／又は上記一対の紐状部材を操作することにより、露出された陰茎の排尿方向を調節できるように構成されている、請求項１に記載の男性用下着。
【請求項３】
上記環状部材は、陰茎先端部を通挿できるとともに上記括れ部に弾性的に係合して保持できる環状構造を備える、請求項１又は請求項２のいずれかに記載の男性用下着。
【請求項４】
上記環状部材及び上記一対の紐状部材を弾性を有する材料から形成するとともに、
上記外側当て布部の排尿用開口部に水平方向に延びる弾性縁部を設け、
上記一対の紐状部材を上記弾性縁部にそれぞれ連結した、請求項１から請求項３のいずれか１項に記載の弾性用下着。
【手続補正２】
【補正対象書類名】明細書
【補正対象項目名】全文
【補正方法】変更
【補正の内容】
【発明の詳細な説明】
【技術分野】
【０００１】
本願発明は、男性用下着に関する。詳しくは、陰茎を所定位置に位置決めできるとともに、通気性が良く、しかも、陰茎に触れることなく排尿姿勢をとらせることができる男性用下着に関する。
【背景技術】
【０００２】
陰茎を所定位置に収容保持できるように種々の男性用下着が提供されている。従来の男性用下着は、脚部を通挿する左右一対の脚部開口部と、胴部を通挿する胴部開口部とを備え、前身頃に陰茎を露出させる窓部が設けられている。
【０００３】
上記窓部は、着用者の下腹部に当接する内側当て布部と外側当て布部とを備える二重構造に形成されており、外側当て布部の右側に上下方向に延びるとともに、右方向に開口する上記窓部が設けられている。
【０００４】
排尿は、陰茎を上記内側当て布部と外側当て布部の間に通挿するとともに、上記外側当て布部の縁部を捲って上記窓部から露出させることにより行われる。
【０００５】
上記従来の男性用下着では、まず、外側当て布部を捲り、次に内側当て布部を捲って陰茎を手指を用いて窓部から引き出す必要があった。すなわち、２回の捲り動作が必要であり、しかも、便器に向けて位置決めしてから排尿する必要がある。このため、片手で操作するのは困難である。また、上記窓部は、右方向に開口されているため、左手では扱いにくい。
【０００６】
また、前身頃に上下方向に延びる窓部が形成されているため、伸縮性の素材から下着を構成した場合、上記窓部が左右に引っ張られて窓部が開口したり、下着前部が変形して見栄えが低下するという問題があった。
【先行技術文献】
【特許文献】
【０００７】
【特許文献１】特許第３３８２１６６号公報
【０００８】
上記特許文献１には、窓部を、内側当て布部の上縁部と、外側当て布部の下縁部とから構成することにより、左右方向に延びるとともに上方向に開口するように構成した男性用下着が開示されている。上記構成によって、いずれの側の手指を用いても陰茎を引き出すことができるため、右利き、左利きの別を問わず操作性が向上する。
【０００９】
また、内側当て布部と外側当て布部の左右両側部に、Ｖ字状のそけい部弾性部材が配置されている。上記そけい部弾性部材に沿ってテンションをかけることにより、陰茎への締め付けがなくなり、着用感が向上するとしている。また、窓部が左右方向に延びるように形成されているため、伸縮性のある材料を用いて下着を形成した場合にも、上記窓部が開口することはない。
【発明の概要】
【発明が解決しようとする課題】
【００１０】
上記特許文献に記載されている下着では、従来の下着と同様に、陰茎は、上記内側当て布部の内側に収容保持される。したがって、陰茎が下腹部や陰嚢に接触した状態で保持されることになる。このため、陰茎と、下腹部や陰嚢との皮膚接触部分に汗が溜まりやすく、使用感が良いとは言えなかった。また、上記そけい部弾性部材が設けられるため脚部開口部との間の通気性が低くなる。このため、陰茎を収容した空間の通気性が低くなり、蒸れるといった問題もあった。
【００１１】
また、左右方向に延びる窓部から陰茎を露出させることができるように構成されているため、右利き、左利きを問わずに操作することができる。しかしながら、陰茎を露出させるためには、外側当て布部と内側当て布部から形成される開口部に手指を挿入して、陰茎を引き出す必要がある。このため、操作性が良いとはいえない。また、片手で、陰茎を窓部から引き出すことができたとしても、外側当て布部を捲りながら陰茎を位置決めして排尿姿勢をとらせるのは困難である。
【００１２】
さらに、上記そけい部弾性部材を設けることにより、陰茎等の収まりを良くできるとともに、陰茎に上記弾性部材の弾性が直接作用しないように構成することができる。ところが、上記そけい部弾性部材の弾力は、使用者の脚部のつけ根に作用するため、体格によっては脚部の付け根が締め付けられて、かえって使用感が低下する場合もある。
【００１３】
本願発明は、上記従来の問題を解決し、使用感を向上させることができるだけでなく、陰茎を、下腹部や陰嚢から離間させて保持することができ、しかも、下着を操作するだけで陰茎を露出させて、排尿姿勢をとらせることができる、男性用下着を提供することを課題としている。
【課題を解決するための手段】
【００１４】
本願の請求項１に記載した発明は、左右脚部が通挿される一対の脚部開口部と、胴部が通挿される胴部開口部とを備える男性用下着であって、陰茎を前後から挟むように設けられる内側当て布部と、外側当て布部とを備えて構成される陰茎収容部と、上記陰茎収容部の下方に設けられるとともに、内側から上記陰茎収容部へ陰茎を導入する陰茎導入部と、上記陰茎収容部の上方に設けられた排尿用開口部と、上記陰茎収容部内において上記陰茎を係止して位置決め保持できる位置決め保持手段とを備えて構成される。そして、少なくとも上記外側当て布部を伸縮自在な弾性布材料から形成するとともに、上記位置決め保持手段を、上記陰茎の括れ部に弾性的に係合される環状部材と、下端部が上記環状部材の側部にそれぞれ連結されるとともに、斜め上方に延出して上端部が上記外側当て布部の上縁部又は側縁部ににそれぞれ連結された左右一対の紐状部材とを設けて構成し、上記陰茎収容部において上記陰茎を上方に向けて保持するとともに、上記外側当て布部を捲ることにより、上記陰茎の少なくとも先端部を排尿可能に露出させることができるように構成したものである。
【００１５】
本願発明に係る男性用下着においては、陰茎を前後から挟むように配置される内側当て布部及び外側当て布部を備える陰茎収容部が設けられる。陰茎は、上記陰茎収容部の下端部に設けられた陰茎導入部から上方に向けて、内外当て布部と外側当て布部の間に挟まれるようにして収容保持される。
【００１６】
上記内側当て布部は、使用者の下腹部と陰茎との間に介挿されるため、陰茎と下腹部とが直接接触することはない。また、陰茎を上方に向けて保持するように構成されているため、陰嚢と接触することもない。したがって、陰茎と、下腹部や陰嚢との接触部位に汗が溜まることはなく、使用感が良くなる。
【００１７】
上記陰茎収容部の上方には、陰茎を露出させて排尿姿勢をとらせる排尿用開口部が設けられている。また、少なくとも、上記外側当て布部は、伸縮自在な弾性布材料から形成されている。陰茎は、上記内側当て布部と上記外側当て布部の間に保持されているため、上記外側当て布部を外側へ捲るだけで、陰茎を露出させることができる。したがって、片手で陰茎を露出させることができる。
【００１８】
就寝姿勢等の静止状態では、陰茎を陰茎収容部内に収納保持することができるが、歩行等の運動をする場合、陰茎が下方に変位して、上記陰茎収容部から抜け出る恐れがある。また、陰茎の収容姿勢が一定でないと、上記外側当て布部を捲るだけでは、陰茎を露出させて排尿姿勢をとらせるのは困難である。
【００１９】
上記不都合を回避するため、本願発明では、この外側当て布部の内面に、陰茎を係止して位置決め保持できる位置決め保持手段を設けている。
【００２０】
上記位置決め保持手段は、上記外側当て布部の内面側に設けられる。これにより、陰茎を上記外側当て布部と内側当て布部の間の所定位置に保持できる。したがって、外側当て布部を捲ることにより、陰茎を上記排尿用開口部から確実に露出させることができる。
【００２１】
上記位置決め保持手段は、上記陰茎の括れ部に弾性的に係合される環状部材と、下端部が上記環状部材の側部にそれぞれ連結されるとともに、斜め上方に延出して上端部が上記外側当て布部の上縁部又は側縁部ににそれぞれ連結された左右一対の紐状部材とを設けて構成される。
【００２２】
上記環状部材は、陰茎亀頭部の基端側の括れ部に係止できるように構成される。これにより、上記位置決め保持手段を陰茎に対して確実に装着することができる。また、上記外側当て布部を捲るだけで、亀頭部を確実に露出させるように構成される。また、請求項３に記載した発明のように、上記環状部材を、陰茎先端部を通挿できるとともに上記括れ部に弾性的に係合して保持できる環状構造を備えて構成することができる。
【００２３】
陰茎の先端部には、括れ部を介して亀頭部があるため、上記括れ部を利用して、上記環状部材を陰茎に容易に装着することができる。上記環状部材は、紐状部材を介して外側当て布部又はその周縁部に連結するのが好ましい。上記紐状部材を採用することにより、陰茎の動きが許容される範囲が広くなる。このため、締め付け感なく陰茎を位置決め保持できる。また、上記括れ部に環状部材を装着することにより、仮性包茎を矯正する効果も期待できる。
【００２４】
また、上記位置決め保持手段は、外側当て布部の上縁部あるいは側縁部に連結した紐状部材を介して陰茎を所定位置に保持するように構成される。上記紐状部材は、下端部が上記環状部材の側部にそれぞれ連結されるとともに、斜め上方に延出して上端部が上記外側当て布部の上縁部又は側縁部にそれぞれ連結された左右一対の紐状部材を設けて構成される。この構成を採用すると、上記紐状部材を操作することにより、外側当て布部を捲って露出させた陰茎の方向を調節することができる。上記紐状部材は、弾性を有する材料から構成するのが望ましい。また、請求項４に記載した発明のように、排尿用開口部の縁部にゴム紐等を設けた弾性縁部を設け、この弾性縁部に、弾性のある上記紐状部材を連結するのが好ましい。この構成によって、水平方向に延びる弾性縁部と、この弾性縁部から下方に延出する弾性紐状部材によって、陰茎を上方に向けて保持することができる。２つの弾性部材を介して陰茎を位置決め保持できるため、陰茎に作用する弾力の大きさを容易に調節することが可能になる。このため、陰茎に不快な力が作用するのを防止できるばかりでなく、上記紐状部材及び又は上記外側当て布部を操作することにより、陰茎の排尿方向を調節できる。
【００２５】
上記保持手段を設けることにより、陰茎を、上記陰茎収容部において、陰茎を上方に向けて位置決め保持することができる。これにより、激しいスポーツ等を行う場合であっても、陰茎を上記内側当て布部と上記外側当て布部の間において、上方に向けて確実に保持できる。また、上記外側当て布部を捲ることにより、陰茎を確実に露出させることができる。
【００２６】
また、上記構成を採用することにより、陰茎に触れることなく陰茎を露出させ、排尿方向を調節することが可能となる。このため、衛生的であるばかりでなく、便器を汚すのを防止することが可能となる。
【００２７】
請求項２に記載した発明のように、上記外側当て布部の開口縁部及び／又は上記一対の紐状部材を操作することにより、露出された陰茎の排尿方向を調節できるように構成することができる。
【００２８】
すなわち、上記位置決め保持手段によって、陰茎が上記外側当て布部の内側に位置決め係止される。これにより、上記外側当て布部を捲って陰茎を露出させ、さらに、上記開口縁部及び／又は上記一対の紐状部材を左右前後に操作することにより、陰茎の方向を調節して排尿することが可能となる。この構成を採用することにより、片手で陰茎を露出させることが可能となるばかりでなく、片手で陰茎の排尿方向を調節して位置決めできるのである。
【００２９】
また、上記紐状部材を外側当て布部の上縁部に連結すると、上記環状部材を介して陰茎を上方から吊るすようにして位置決め保持できる。このため、外観見栄えよく陰茎を収容することが可能となる。
【００３０】
しかも、上記紐状部材は、上記外側当て布部の上縁部に連結されているため、上記外側当て布部を捲ると、上述したと同様に陰茎が上記排尿用開口から露出させられる。また、上記外側当て布部あるいは紐状部材を操作することにより、陰茎に直接触れることなく、排尿方向を調節することができる。
【発明の効果】
【００３１】
使用感を向上させることができるだけでなく、陰茎を所定位置に位置決め保持することができるとともに、陰茎に触れることなく排尿姿勢をとらせることができる。
【図面の簡単な説明】
【００３２】
【図１】本願発明に係る男性用下着の第１の実施形態に係る正面図である。
【図２】図１における、ＩＩ−ＩＩ線に沿う断面図である。
【図３】図１における、III −III 線に沿う断面図である。
【図４】陰茎を露出させる手法を説明する断面図である。
【図５】陰茎に排尿姿勢をとらせる状態を示す断面図である。
【図６】本願発明に係る男性用下着の第２の実施形態に係る正面図である。
【図７】図６におけるVII −VII 線に沿う断面図である。
【図８】位置決め保持手段の他の例を示す平面図である。
【発明を実施するための形態】
【００３３】
以下、本願発明の実施形態を図に基づいて具体的に説明する。
【００３４】
図１から図５に、本願発明に係る男性用下着の第１の実施形態を示す。この実施形態は、本願発明をブリーフタイプの男性用下着に適用したものである。なお、トランクスタイプの下着に本願発明を適用することもできる。
【００３５】
図１に示すように、男性用下着１は、使用者の左右脚部が通挿される一対の脚部開口部２，３と、使用者の胴部が通挿される胴部開口部４とを備えて構成されている。上記胴部開口部４の縁部には、ゴムが折り込まれた弾性部材が設けられている。
【００３６】
本実施形態では、正面中央部に、陰茎７を収容する陰茎収容部８が設けられている。上記陰茎収容部８は、正面視逆台形状に形成されている。図２に示すように、上記陰茎収容部８は、使用者９の下腹部１０と陰茎７との間に配置される内側当て布部１１と、上記内側当て布部１１の外側に配置される外側当て布部１２とを備えて構成される。上記内側当て布部１１と上記外側当て布部１２の側部が縫合されることにより、上記逆台形状の陰茎収容部８が構成される。上記陰茎収容部８の下縁部は下着の内側に開口されており、使用者の陰茎を上記陰茎収容部８に導入する陰茎導入部１３が設けられている。
【００３７】
上記内側当て布部１１と外側当て布部１２は、弾性伸縮しうる布材料から形成されている。少なくとも上記外側当て布部１２は、１００％以上の伸縮性のある布材料から形成するのが望ましい。
【００３８】
一方、上記陰茎収容部８の上縁部も外部に開口されており、上記陰茎７の少なくとも一部を露出させて、排尿させる排尿用開口部１４が設けられている。上記排尿用開口部１４の縁部には、ゴム紐が折り込まれた弾性縁部１５が設けられている。
【００３９】
上記陰茎収容部８には、収容された陰茎７を、上向きに保持する位置決め保持手段１６が設けられている。図２及び図３に示すように、上記位置決め保持手段１６は、弾性のある帯状部材１７から構成されている。上記帯状部材１７は、上記陰茎収容部８の中央部において、両側部が上記外側当て布部１２に縫着されている。上記帯状部材１７は、上記外側当て布部１２と共働して、上記陰茎７の中間部ないし先端部を囲むようにして通挿できる環状に形成されている。
【００４０】
本実施形態に係る上記帯状部材１７及び外側当て布部１２は、弾性伸縮性のある布材料から形成されるとともに、陰茎７の中間部あるいは先端部を囲むように装着される。これにより、上記陰茎７が上記陰茎収容部８において、先端が上向きになるように位置決め保持される。
【００４１】
図４及び図５に、上記陰茎７を露出させるとともに排尿姿勢をとらせる手順を示す。
【００４２】
図４に示すように、まず、上記外側当て布部１２の上部を下方に折り返すようにして捲る。上記外側当て布部１２は、弾性伸縮する布材料から形成されているため、容易に折り返すことができる。また、上記帯状部材１７は、陰茎亀頭部の基端側に装着されている。このため、上記外側当て布部１２を折り返すと、陰茎の先端部（亀頭部）１８が、上記排尿用開口部１４から露出させられる。
【００４３】
上記状態で、さらに、上記外側当て布部１２を下方に引くと、図５に示すように、亀頭部１８を正面方向あるいは斜め下方に向けることができる。また、上述したように、上記各操作は、上記外側当て布部１２を捲り、また変位させることにより行わる。したがって、陰茎７に触れることなく、陰茎７を露出させ、排尿姿勢をとらせて排尿することができる。
【００４４】
排尿が終了した後、上記外側当て布部から手指を放すと、上記外側当て布部１２及び上記弾性縁部１５の弾性によって、図２に示す姿勢に自動的に戻る。
【００４５】
上記構成の男性用下着においては、使用者の下腹部１０と陰茎７との間に、内側当て布部１１が介挿されているため、陰茎７が使用者の下腹部や陰嚢に触れることはない。しかも、上記排尿用開口部１４が上方に開口しているため、通気性もよい。このため、上記陰茎７と、下腹部や陰嚢との間に汗が溜まる恐れもない。したがって、使用感の良い下着を構成できる。
【００４６】
しかも、図４及び図５に示すように、上記外側当て布部１２を捲ることにより、陰茎７に直接手指を触れることなく露出させ、しかも、上記外側当て布部１２を前後左右に操作するだけで、陰茎７を所要の方向に向けて排尿姿勢をとらせることができる。このため、非常に衛生的である。また、上記外側当て布部１２を操作することにより、排尿方向を容易に調整することができる。このため、トイレを汚す恐れも少ない。
【００４７】
図６及び図７に、本願発明の第２の実施形態を示す。この実施形態は、位置決め保持手段１１６を、環状部材１１７ａと左右一対の紐状部材１１７ｂとを備えて構成したものである。
【００４８】
本願発明は、上記亀頭部１８の括れ部１８ａを利用して、上記位置決め保持手段１１６を構成したものである。
【００４９】
上記環状部材１１７ａは、上記陰茎７の括れ部１８ａに弾性的に係合される。一方、上記一対の紐状部材１１７ｂは、下端部が上記環状部材１１７ａの側部にそれぞれ連結されているとともに、斜め上方向に延出して、上端部が、上記外側当て布部１２の弾性縁部１５の内側開口縁部１２ａにそれぞれ連結されている。上記構成を採用することにより、陰茎７を上方から吊るすようにして位置決め保持できる。また、第１の実施形態の帯状部材に比べて陰茎７に対する接触面積が少ないため、通気性が高い。また、陰茎７の動きの自由度も高い。したがって、使用感がより向上する。
【００５０】
しかも、上記紐状部材１１７ｂの上端部が上記外側当て布部１２の開口縁部１２ａに連結されているため、陰茎７を上方に向けて確実に保持できる。また、上記外側当て布部１２を捲るだけで、陰茎７を露出させることができる。さらに、上記外側当て布部１２あるいは上記紐状部材１１７ｂを手指で操作することにより、排尿方向を容易に調節することができる。
【００５１】
なお、亀頭部１８ないし陰茎部７の太さは、使用者によって異なる。このため、上記環状部材１１７ａの径は、所定の範囲で調節可能に設定するのが好ましい。上記環状部材１１７ａを調節する手段として、図８に示すような係止部材１８０を採用することができる。本実施形態は、弾性材料から形成された紐状部材を、係止部材１８０に設けた係止孔１８１に通挿するものである。上記係止部材１８０に紐状部材を通挿するだけで、環状部材１１７ａと、紐状部材１１７ｂとを形成できる。また、上記係止部材１８０の係止位置を変更するだけで、環状部材１１７ａの大きさを調節することができる。
【００５２】
本願発明は、上述の実施形態に限定されることはない。実施形態は、本願発明をブリーフタイプの男性下着に適用したが、トランクスタイプ等他の形態の男性用下着に適用することができる。
【産業上の利用可能性】
【００５３】
使用感を向上させることができるだけでなく、陰茎を所定位置に位置決め保持することができ、しかも、下着を外側から操作するだけで陰茎を露出させて排尿姿勢をとらせることができる、男性用下着を提供できる。
【符号の説明】
【００５４】
１  男性用下着
２  脚部開口部
３  脚部開口部
４  胴部開口部
７  陰茎
８  陰茎収容部
１１  内側当て布部
１２  外側当て布部
１３  陰茎導入部
１４  排尿用開口部
１６  位置決め保持手段